(57)【特許請求の範囲】
【請求項１】
容器の口部に装着される装着部に、この装着部から起立するとともに内側に通路が形成された筒壁を有し当該筒壁の内側に前記通路を仕切る仕切壁が形成されたノズルを設け、
当該ノズルを、変形及び復元が可能な材料で構成するとともに、
前記仕切壁に切れ目孔を形成し、当該切れ目孔が、ノズルの押し潰しに伴う変形で開口する一方、その押し潰しの解除に伴う復元で閉じるようにし、
前記筒壁に、滑り止めの凹所を有する一対の凸部を設け、
一対の前記凸部を、前記切れ目孔をその長手方向から挟んで互いに対向する位置に配置したことを特徴とする容器用の注出補助具。
【請求項２】
請求項１において、前記装着部と前記ノズルとを別体として組み付けたことを特徴とする容器用の注出補助具。
【発明の詳細な説明】
【技術分野】
【０００１】
本発明は、容器の姿勢を問わず内容物を容易に取り出すための注出補助具に関するものである。
【背景技術】
【０００２】
従来の注出補助具としては、容器の口部に装着されるキャップ本体に、飲み口を突出させるとともに、ヒンジを介して開閉蓋を開閉可能に弾支し、更に、開閉蓋を弾性部材によって閉止状態又は開放状態に付勢するものがあり、かかる構成によれば、開閉蓋を開く操作だけの簡単な操作により、容器に充填された内容物を取り出すことができる（例えば、特許文献１参照）。
【先行技術文献】
【特許文献】
【０００３】
【特許文献１】特開２０００−８５８２５号公報
【発明の概要】
【発明が解決しようとする課題】
【０００４】
しかしながら、こうした従来の注出補助具は蓋体を開いて傾けてしまうと、飲み口を通して内容物が流れ出してしまうため、例えば、介護者が要介護者に飲料等を提供しようとする場合に使い難く、改善の余地があった。
【０００５】
本発明の目的とするところは、使用者が所望する姿勢で、容器の内容物を取り出すことできる、容器用の注出補助具を提供することにある。
【課題を解決するための手段】
【０００６】
本発明である、容器用の注出補助具は、容器の口部に装着される装着部に、この装着部から起立するとともに内側に通路が形成された筒壁を有し当該筒壁の内側に前記通路を仕切る仕切壁が形成されたノズルを設け、
当該ノズルを、変形及び復元が可能な材料で構成するとともに、
前記仕切壁に切れ目孔を形成し、当該切れ目孔が、ノズルの押し潰しに伴う変形で開口する一方、その押し潰しの解除に伴う復元で閉じるようにし、
前記筒壁に、滑り止めの凹所を有する一対の凸部を設け、
一対の前記凸部を、前記切れ目孔をその長手方向から挟んで互いに対向する位置に配置したことを特徴とするものである。
【０００８】
また、本発明では、前記装着部と前記ノズルとを別体として組み付けることができる。
【発明の効果】
【０００９】
本発明によれば、ノズルを押し潰して筒壁を仕切壁とともに変形させれば、当該仕切壁に形成した切れ目孔が開口されることで、当該切れ目孔が容器を外界に通じさせる開口部を形成する。これにより、ノズルを押し潰すだけの簡単な操作で、仕切壁に形成された開口部を通して容器の内容物を取り出すことができる。
【００１０】
また、ノズルの押し潰しを解除すれば、筒壁とともに仕切壁の変形が復元することで、切れ目孔を閉じる。これにより、ノズルの押し潰しを解除すれば、使用者が容器を如何なる姿勢にしても容器から内容物が取り出されることがない。
【００１１】
従って、本発明によれば、使用者が所望する位置にノズルを持って行った状態で、容器が如何なる姿勢になろうとも、容器の内容物を取り出すことできる。
【図面の簡単な説明】
【００１２】
【図１】本発明の一形態である、飲料容器用の注出補助具１にオーバーキャップを取り付けた状態で容器の口部とともに示す要部断面図である。
【図２】同形態に係る、注出補助具からオーバーキャップを取り外した状態を容器の口部とともに示す要部断面図である。
【図３】(a)は、同形態に係る、注出補助具の切れ目孔を閉じた状態を図２のＸ−Ｘ断面で示す要部断面図であり、(b)は、同形態に係る、注出補助具の切れ目孔を開いて開口部が形成された状態を図２のＸ−Ｘ断面で示す要部断面図である。
【図４】本発明の他の形態に係る、注出補助具からオーバーキャップを取り外した状態を容器の口部とともに示す要部断面図である。
【発明を実施するための形態】
【００１３】
以下、図面を参照して、本発明の一形態である、飲料容器用の注出補助具１を詳細に説明する。
【００１４】
注出補助具１は、容器１０の口部１１に装着される装着部２を有する。装着部２は、例えば、本形態のように、その外周面にねじ部２ｓを形成し、このねじ部２ｓを口部１１に形成したねじ部１１ｓに螺合させることにより、口部１１に着脱可能に装着される。
【００１５】
図２は、装着部２からオーバーキャップＣを取り外した状態を示し、符号３は、装着部２に設けられたノズルである。ノズル３は、装着部２から起立する筒壁４を有する。筒壁４の内側には、容器１０の内側に形成された飲料の充填空間を外界に通じさせる通路ｒが形成されるとともに、当該通路ｒを仕切る仕切壁５が一体に設けられている。
【００１６】
ノズル３は、筒壁４及び仕切壁５とともに、例えば、シリコーン等の、変形及び復元が可能な材料で構成されている。更に、仕切壁５には、図３(a)に示すように、横一文字で構成された切れ目孔６が形成されている。
【００１７】
切れ目孔６は、ノズル３（筒壁４）を押し潰さない状態では、図３(a)に示すように、互いに向き合う合せ面６ａ（図３(b)参照）が密接することで、容器１０の充填空間が密閉されるように通路ｒを仕切る。
【００１８】
これに対し、ノズル３を押し潰して筒壁４を仕切壁５とともに変形させれば、切れ目孔６は、図３(b)に示すように開口されることで、容器１０の充填空間を外界に通じさせる開口部Ａを形成する。また、ノズル３の押し潰しを解除すれば、筒壁４とともに仕切壁５の変形が復元することで、図３(a)に示すように、切れ目孔６を閉じることができる。
【００１９】
即ち、本発明によれば、ノズル３を押し潰して筒壁４とともに仕切壁５を変形させれば、当該仕切壁５に形成した切れ目孔６が開口されることで、当該切れ目孔６が容器１０を外界に通じさせる開口部Ａを形成する。これにより、ノズル３を押し潰すだけの簡単な操作で、仕切壁５に形成された開口部Ａを通して容器１０の内容物を取り出すことができる。
【００２０】
また、ノズル３の押し潰しを解除すれば、筒壁４とともに仕切壁５の変形が復元することで、切れ目孔６を閉じる。これにより、ノズル３の押し潰しを解除すれば、使用者が容器１０を如何なる姿勢にしても容器１０から内容物が取り出されることがない。
【００２１】
従って、本発明によれば、使用者が所望する位置にノズル３を持って行った状態で、容器１０の姿勢が如何なる姿勢になろうとも、容器１０の内容物を取り出すことできる。このため、例えば、介護者がノズル３の端面３ｅ（筒壁４の端面４ｅ）を要介護者の口元まで持って行ってノズル３を押し潰せば、要介護者を動かすことなく、当該要介護者に対して飲料を供給することができる。
【００２２】
特に本形態では、筒壁４の外周面に、使用者がノズル３を押し潰す際に用いられる凸部７が一体に設けられている。凸部７は、図３(a)に示すように、滑り止めの凹所８を有し、切れ目孔６を、同図に示すように、その長手方向から挟んだ対向する位置に設けられている。これにより、使用者は、凸部７をしっかり押圧することでノズル３を容易に押し潰せるとともに、その力も切れ目孔６の長手方向に沿って開口部Ａを形成する向きに伝わり易いため、開口部Ａを楽に形成することができる。
【００２３】
加えて、本形態では、図２等に示すように、ノズル３の端面３ｅを傾斜させて前後方向を長軸とする楕円形状に構成している。この場合、飲料等の内容物を取り出す際の容器１０内での空気置換が容易になるため、容器１０からの内容物の取り出しをスムースに行うことができる。
【００２４】
また、本形態では、図２に示すように、仕切壁５に形成した切れ目孔６を、筒壁４の内周面側（筒壁４の先端４ｐ側）に偏らせることで、ノズル３の中心軸Ｏに対して偏心させた状態に配置している。即ち、本形態では、切れ目孔６は、容器１０を倒して押し潰すと、図３(b)に示すように、ノズル３の中心軸Ｏよりも下側の位置に偏るように開口部Ａを形成する。
【００２５】
更に、本形態では、装着部２とノズル３とを別体として組み付けている。組み付けは、例えば、図２等に示すように、装着部２の内側に形成した環状凹部２ｎに、ノズル３の下端に設けた環状凸部３ｐを嵌合させることで組み付ける。この場合、装着部２の性能に要求される材料と、ノズル３の性能に要求される材料とを別個独立して選択できる。このため、ノズル３の開閉に利用できる材料を広く選択できる。
【００２６】
なお、本形態に係る、注出補助具１は、装着部２又はノズル３のいずれか一方をインサート品として、金型内で射出成形を行うことにより、インサート成形することもできる。
【００２７】
また、本発明に従えば、装着部２とノズル３とを一体に成形することもできる。
【００２８】
図４は、本発明の他の形態であり、装着部２とノズル３とを一体に成形したものである。なお、以下の説明において、図１〜３と実質同一の部分は、同一符号をもってその説明を省略する。
【００２９】
本形態の注出補助具１’は、例えば、金型内で射出成形を行うことにより、装着部２及びノズル３を一体に成形したものである。この場合、容器口部１１に対して注出補助具１’全体として組み付けるだけでよいので、組立作業性に優れる。
【００３０】
上述したところは、本発明の一形態を示したにすぎず、特許請求の範囲において、種々の変更を加えることができる。例えば、本形態では、ノズル３の端面３ｅを傾斜させて前後方向を長軸とする楕円形状に構成したが、ノズル軸線Ｏに直交する断面形状に構成することも可能である。また、容器の口部に対する装着も螺合に限定されることなく、様々な手段で装着させることができる。更に、容器も剛性が高く変形し難い容器は勿論、変形及び復元が可能な、いわゆるスクイズ容器等の、様々な容器に採用できる。加えて、本発明に従えば、各形態の構成要素は、各形態の相互間で転用することができる。
【産業上の利用可能性】
【００３１】
本発明は、老人介護等の医療用としては勿論、乳幼児への授乳等にも適用でき、容器の内容物がノズルを通して供給できるものであれば、その利用分野は限定されない。このため、内容物についても、飲料は勿論、薬剤等、様々なものを採用できる。
【符号の説明】
【００３２】
１      注出補助具
２      装着部
２ｓ    ねじ部
３      ノズル
４      筒壁
５      仕切壁
６      切れ目孔
６ａ    （切れ目孔）合せ面
７      凸部
８      凹部
１０    容器
１１    口部
１１ｓ  ねじ部
ｒ      流路（内部通路）
【図１】
0005766539.tif 000002
【図２】
0005766539.tif 000003
【図３】
0005766539.tif 000004
【図４】
0005766539.tif 000005